(57)【要約】【課題】  表示部や駆動回路の増大を抑えつつ、表示画面のフリッカやむらを低減する。【解決手段】  複数の走査線と、複数のデータ線と、前記走査線と前記データ線の交差に対応して配列された複数の画素回路と、を有する電気光学装置の駆動回路において、前記複数のデータ線から選択された複数の代表データ線に対応して、この代表データ線に対応する画素回路どうしの電圧特性の差を補償した補償電圧を出力する補償電圧出力回路と、前記補償電圧のうち少なくとも２つの補償電圧に基づいて複数の基準電圧を出力する基準電圧分配回路と、前記基準電圧に基づくデータ電圧を前記データ線に出力するデータ電圧出力回路と、を備える。【選択図】      図５
2006126273.tif 000002
【特許請求の範囲】
【請求項１】
複数の走査線と、複数のデータ線と、前記走査線と前記データ線の交差に対応して配列された複数の画素回路と、を有する電気光学装置の駆動回路であって、
前記複数のデータ線から選択された複数の代表データ線に対応して、この代表データ線に対応する画素回路どうしの電圧特性の差を補償した補償電圧を出力する補償電圧出力回路と、
前記補償電圧のうち少なくとも２つの補償電圧に基づいて複数の基準電圧を出力する基準電圧分配回路と、
前記基準電圧に基づくデータ電圧を前記データ線に出力するデータ電圧出力回路と、
を備える電気光学装置の駆動回路。
【請求項２】
前記データ電圧出力回路は、前記基準電圧に基づくデータ電圧を出力するＤ／Ａコンバータであることを特徴とする請求項１記載の電気光学装置の駆動回路。
【請求項３】
前記Ｄ／Ａコンバータは、前記基準電圧を分圧して生成する複数の階調電圧の中から一の階調電圧を選択して出力することを特徴とする請求項２記載の電気光学装置の駆動回路。
【請求項４】
前記基準電圧は、前記階調電圧の上限値を決定する上限基準電圧と、前記階調電圧の下限値を決定する下限基準電圧と、を有することを特徴とする請求項３記載の電気光学装置の駆動回路。
【請求項５】
前記基準電圧は、さらに、前記階調電圧の上限値と下限値との間の電圧を決定する中間基準電圧を有することを特徴とする請求項４記載の電気光学装置の駆動回路。
【請求項６】
前記基準電圧分配回路は、前記少なくとも２つの補償電圧を分圧して前記複数の基準電圧を生成する分圧抵抗を備えることを特徴とする請求項１記載の電気光学装置の駆動回路。
【請求項７】
前記基準電圧分配回路の分圧抵抗の抵抗値は等しいことを特徴とする請求項６記載の電気光学装置の駆動回路。
【請求項８】
前記補償電圧出力回路は、前記駆動回路の電源電圧を分圧して補償電圧を生成する分圧抵抗を備えることを特徴とする請求項１記載の電気光学装置の駆動回路。
【請求項９】
請求項１記載の電気光学装置の駆動回路を備える電気光学装置。
【請求項１０】
液晶表示装置であることを特徴とする請求項９記載の電気光学装置。
【請求項１１】
請求項９記載の電気光学装置を搭載した電子機器。
【請求項１２】
複数の走査線と、複数のデータ線と、前記走査線と前記データ線の交差に対応して配列された複数の画素回路と、を有する電気光学装置の駆動方法であって、
前記複数のデータ線から選択された複数の代表データ線に対応して、この代表データ線に対応する画素回路どうしの電圧特性の差を補償した補償電圧を出力し、
前記補償電圧のうち少なくとも２つの補償電圧に基づいて複数の基準電圧を出力し、
前記基準電圧に基づくデータ電圧を前記データ線に出力する、
電気光学装置の駆動方法。
【請求項１３】
基準電圧に基づくデータ電圧の前記データ線への出力は、Ｄ／Ａコンバータを用いて行うことを特徴とする請求項１２記載の電気光学装置の駆動方法。
【発明の詳細な説明】
【技術分野】
【０００１】
本発明は、電気光学装置の駆動回路、電気光学装置、電子機器、および電気光学装置の駆動方法に関する。
【背景技術】
【０００２】
従来、電気光学装置の例として、液晶表示装置が知られている。この液晶表示装置は、複数の走査線と複数のデータ線の交点にマトリクス状に配置され、薄膜トランジスタ（以下ＴＦＴという）や表示電極といった画素回路を有する表示部と、ＴＦＴに電圧を供給する駆動回路と、この駆動回路ごとに設けられ、ＴＦＴおよび表示電極寄生容量がＴＦＴの電極電圧に及ぼす影響に応じて基準電圧を調整する調節回路とを備える。（例えば、特許文献１参照。）。
【０００３】
この液晶表示装置では、表示電極にデータ線からの電圧を与えるため、ＴＦＴのゲートにパルス波形の走査電圧を供給する。走査電圧の供給によりＴＦＴがオン状態のとき、データ線の電圧は表示電極に供給される。ＴＦＴがオフ状態のとき、表示電極はこの電圧を保持しようとする。ここで、ＴＦＴは寄生容量を有しているため、ＴＦＴがオン状態からオフ状態に遷移する際に、表示電極の電圧は、ゲート駆動電圧の低下に伴って低下し（突き抜け電圧）、この低下した電圧が保持される。すなわち、ＴＦＴのオフ状態で表示電極に保持される電圧は、データ線から供給される電圧より低下する。ここで、突き抜け電圧は、ＴＦＴの位置により異なる。この電圧の低下により、表示電極を交流駆動する際の中心電圧と、表示電極に対向する対向電極の共通電圧との間にずれが生じ、表示画面のフリッカやむらの原因となる。
【０００４】
特許文献１の構成によれば、調節回路が、各ＴＦＴのドレイン電圧と共通電圧との差分を検出し、駆動回路に供給する基準電圧を調整するため、表示電極を交流駆動する際の中心電圧と、表示電極の共通電圧とのずれが抑えられ、フリッカやむらは低減される。
【特許文献１】特開平１１−１３３９１９号公報
【発明の開示】
【発明が解決しようとする課題】
【０００５】
しかし、この構成では、ＴＦＴのドレイン電圧と共通電圧との差分を検出し、基準電圧を調整するための調節回路が、データ線ごとに必要であった。また、ＴＦＴのドレイン電圧および共通電圧を、画素回路から調節回路まで導くための配線も必要となり、表示部や駆動回路が増大するおそれがあった。
【０００６】
そこで本発明は、上記の課題を解決することのできる電気光学装置の駆動回路、駆動回路を備えた電気光学装置、電子機器、および電気光学装置の駆動方法を提供することを目的とする。
【課題を解決するための手段】
【０００７】
本発明は、複数の走査線と、複数のデータ線と、前記走査線と前記データ線の交差に対応して配列された複数の画素回路と、を有する電気光学装置の駆動回路であって、前記複数のデータ線から選択された複数の代表データ線に対応して、この代表データ線に対応する画素回路どうしの電圧特性の差を補償した補償電圧を出力する補償電圧出力回路と、前記補償電圧のうち少なくとも２つの補償電圧に基づいて複数の基準電圧を出力する基準電圧分配回路と、前記基準電圧に基づくデータ電圧を前記データ線に出力するデータ電圧出力回路と、を備える電気光学装置の駆動回路、電気光学装置、電子機器、および電気光学装置の駆動方法を提供する。
【０００８】
この電気光学装置によれば、補償電圧出力回路は、複数のデータ線から選択された複数の代表データ線に対応して、この代表データ線に対応する画素回路どうしの電圧特性の差を補償した補償電圧を出力し、基準電圧分配回路が、補償電圧のうち少なくとも２つの補償電圧に基づいて複数の基準電圧を出力する。このため、画素回路の電圧を検出する調節回路や配線をデータ線ごとに設けるといったことなく、画素回路間での電圧特性の差を低減することができる。
【発明の効果】
【０００９】
したがって、本発明によれば、表示部や駆動回路の増大を抑えつつ、表示画面のフリッカやむらを低減できる。
【発明を実施するための最良の形態】
【００１０】
本発明の実施形態に係る駆動回路を備える電気光学装置を、液晶表示装置の例により、図面に基づいて説明する。
【００１１】
図１は、液晶表示装置１０の全体構成を示すブロック図である。この液晶表示装置は、液晶パネル１００、駆動回路としてのデータ線駆動回路２００、走査線駆動回路３００、および制御回路４００を備える。液晶パネル１００には、複数の走査線１０１、および複数のデータ線１０２が設けられ、走査線１０１とデータ線１０２の交差に対応して複数の画素回路１１０（１１０Ｒ，１１０Ｇ，１１０Ｂ）がｎ行×ｍ列のマトリクス状に配列されている。画素回路１１０の個数としては、例えば、７６８行×３０７２列などである。
【００１２】
画素回路１１０は、Ｒ色、Ｇ色、およびＢ色のいずれかに対応するサブ画素であり、Ｒ色、Ｇ色、およびＢ色のサブ画素で１画素が構成される。図１において、画素回路１１０Ｒ、１１０Ｇ、および１１０Ｂは、Ｒ色、Ｇ色、およびＢ色にそれぞれ対応することを示す。
【００１３】
データ線駆動回路２００は、データ線１０２のそれぞれに対し、駆動電圧Ｖｄ１、Ｖｄ２、…、Ｖｄｍを供給する。駆動電圧Ｖｄ１、Ｖｄ２、…、Ｖｄｍは、画素回路１１０の表示電極に印加するための電圧信号であり、それぞれ、デジタル入力データＶｄｉｇにより決定される。駆動電圧Ｖｄ１、Ｖｄ２、…、Ｖｄｍは、走査線駆動回路３００により選択された行の画素回路１１０に取り込まれる。
【００１４】
走査線駆動回路３００は、複数の走査線１０１を順次走査するための走査信号Ｖｈ１、Ｖｈ２、…Ｖｈｎを生成し、走査線１０１のそれぞれに供給する。走査信号Ｖｈ１は、１垂直走査期間の最初のタイミングから開始する、１水平走査期間に相当する幅のパルスであって、１行目の走査線１０１に供給される。以降、このパルスを順次シフトして、２、３、…、ｎ行目の走査線１０１のそれぞれに走査信号Ｖｈ２、…Ｖｈｎとして供給する。
【００１５】
複数の走査線１０１に供給される走査信号のいずれかがＨレベルになると、この走査信号を供給された走査線が選択される。
【００１６】
制御回路４００は、データ線駆動回路２００に供給するデジタル入力データＶｄｉｇの他、データ線駆動回路２００および走査線駆動回路３００を制御する各種の制御信号を生成し、出力する。また、制御回路４００は、共通電極に供給される共通電圧ＶＣＯＭを出力する。
【００１７】
図２は、画素回路１１０の等価回路を示す図である。画素回路１１０は、スイッチング素子としての薄膜トランジスタ（以下ＴＦＴという）１１１と、画素容量１１２と、補助容量１１３とを備える。ＴＦＴ１１１のゲートは、走査線１０１に接続され、ソースはデータ線１０２に接続される。画素容量１１２は、表示電極およびこれに対向する共通電極により形成される。表示電極と共通電極の間には、液晶が挟持される。画素容量１１２の表示電極はＴＦＴ１１１のドレインに接続される。共通電極には、制御回路４００からの共通電圧ＶＣＯＭが印加される。補助容量１１３は、ＴＦＴ１１１のドレインと、ＴＦＴ１１１のゲートが接続される走査線１０１の隣の走査線１０１とに接続される。ＴＦＴ１１１は、ゲート−ドレイン間に寄生容量１１４を有する。
【００１８】
ここで、走査線１０１上に配置される画素回路１１０どうしの電圧特性の差となる、ゲート電圧の低下による表示電極の電圧低下、いわゆる突き抜け電圧について説明する。
【００１９】
図３は、画素回路１１０における、ＴＦＴ１１１のゲート電圧波形、および画素容量１１２の表示電極の電圧波形を示す図である。走査線駆動回路３００が、走査線１０１にパルス波形の走査信号Ｖｈ１を出力すると、ＴＦＴ１１１のゲート電圧はＶＧ１からＶＧ２に上昇し、ＴＦＴ１１１はオンの状態となる。この状態では、データ線１０２を介してソースに印加されている電圧Ｖｄａｔａ＋が、ドレインを通じて画素容量１１２に供給されるため、画素容量１１２の電極電圧が上昇する。保持期間に移行する際、ゲート電圧がＶＧ２からＶＧ１に低下すると、ゲート−ドレイン間の寄生容量１１４により、電極電圧は、Ｖｐだけ低下する。Ｖｐを突き抜け電圧という。そして、保持期間中はこの低下した後の電圧が保持される。このように、電極が保持する電圧は、突き抜け電圧によって、データ線駆動回路が供給する電圧よりも低くなる。突き抜け電圧は、低下するゲート電圧の傾き、すなわちパルス波形の立下り時間により異なり、傾きが急である程大きい。
ＴＦＴ１１１のソースに印加される電圧は、フレーム周期ごとに、Ｖｄａｔａ＋からＶｄａｔａ−へと交互に反転駆動される。グラフ中のＶｃは、反転駆動による保持期間中の電圧の中央値を示している。
【００２０】
ここで、図１に戻ると、走査線１０１上には、走査線駆動回路３００の出力端側から、すなわち図の左側から一列に、データ線１０２の数に対応するＴＦＴ１１１のゲートが接続されている。この走査線１０１およびＴＦＴ１１１により、分布抵抗および分布容量が生じる。このため、走査線駆動回路の出力端側から離れた位置にあるＴＦＴ１１１ほど、ゲートに供給されるパルス波形のなまりが大きくなる。すなわち、走査線駆動回路の出力端側に位置するトランジスタよりも、この反対側に位置するトランジスタの方が、ゲート電圧低下の傾きが緩やかとなる。したがって、走査線上でのトランジスタの位置により、突き抜け電圧は異なり、画素容量１１２の電極での保持電圧が異なる。
【００２１】
図４は、走査線上に配置されるトランジスタの位置と、画素容量１１２の電極の電圧低下Ｖｐの関係を示すグラフである。このグラフは、異なるデータ線１０２に対応する画素回路１１０どうしの電圧特性の差を示している。グラフの横軸は、走査線上に配置されるＴＦＴ１１１における走査線駆動回路３００の出力端側の位置からの距離、すなわち、走査線上のＴＦＴ１１１での位置を示す。例えば、グラフの右端は、走査線駆動回路３００の出力端側から最も離れた位置、すなわち図１に示す液晶パネル１００の右端の位置を意味する。ここで、図４のグラフに示すように、突き抜け電圧による画素容量１１２の低下電圧Ｖｐは、走査線駆動回路３００の出力端側の位置で最も大きく、走査線駆動回路３００の出力端側から離れるにしたがい、すなわちグラフ右の位置に行くに従い小さくなる。ＴＦＴ１１１の位置と低下電圧Ｖｐの関係は、線形の特性ではなく、突き抜け電圧の変化率は、走査線駆動回路３００の出力端側で大きく、出力端側から離れるに従い、一定の値０に近づく。
【００２２】
図５は、データ線駆動回路２００の回路を示す図である。データ線駆動回路２００は、データ線１０２に駆動電圧を供給する複数のＤ／Ａコンバータ群２５０（２５０Ａ，２５０Ｂ，２５０Ｃ，…，２５０Ｈ）と、このＤ／Ａコンバータ群２５０に補償電圧Ｖ０Ａ，Ｖ０Ｂ，Ｖ０Ｃ，Ｖ０Ｄ，Ｖ１Ａ，Ｖ１Ｂ，Ｖ１Ｃ，Ｖ１Ｄ，Ｖ２Ａ，…，Ｖ８Ｄ，Ｖ９Ａ，Ｖ９Ｂ，Ｖ９Ｃ，Ｖ９Ｄを供給する補償電圧出力回路２０１を備える。なお、図５では、補償電圧Ｖ２Ａ，Ｖ２Ｂ，…，Ｖ８Ｄを省略している。
【００２３】
Ｄ／Ａコンバータ群２５０は、デジタル入力信号Ｖｄｉｇの値に基づく駆動電圧Ｖｄ１，…，Ｖｄｍを、データ線１０２に出力する。ここで、複数のデータ線１０２は、データ線群２４０（２４０Ａ，２４０Ｂ，…，２４０Ｈ）を構成している。Ｄ／Ａコンバータ群２５０は、対応するデータ線群２４０の並びに沿って配置されている。例えば、Ｄ／Ａコンバータ群２５０Ａは、走査線駆動回路３００の出力端側に最も近いデータ線１０２を含むデータ線群２４０Ａに対応し、Ｄ／Ａコンバータ群２５０Ｂ，２５０Ｃ，…，２５０Ｈは、隣接するデータ線群２４０Ｂ，２４０Ｃ，…，２４０Ｈに対応する。
【００２４】
Ｄ／Ａコンバータ群２５０では、２個の補償電圧Ｖａ０，Ｖｂ０として入力される電圧により、データ線１０２に出力する駆動電圧の上限値が決定される。また、別の補償電圧Ｖａ９，Ｖｂ９として入力される電圧により、データ線１０２に出力する駆動電圧の下限値が決定される。さらに、別の補償電圧Ｖａ１，Ｖｂ１，Ｖａ２，Ｖｂ２，…，Ｖａ８，Ｖｂ８として入力される電圧により、データ線１０２に出力する駆動電圧の中間値が決定される。例えば、Ｄ／Ａコンバータ群２５０Ａの補償電圧Ｖａ０，Ｖｂ０として、補償電圧Ｖ０ＡおよびＶ０Ｂが入力されるので、Ｄ／Ａコンバータ群２５０Ａがデータ線群２４０Ａのデータ線１０２に出力する駆動電圧の上限値は、Ｖ０ＡおよびＶ０Ｂの間の電圧に決定される。
【００２５】
補償電圧出力回路２０１は、電源電圧Ｖｄｄを分圧して、補償電圧Ｖ０Ａ，Ｖ０Ｂ，Ｖ０Ｃ，Ｖ０Ｄ，Ｖ１Ａ，…，Ｖ９Ｄを生成する、直列に接続された複数の分圧抵抗２０２，２０３，２０４，…２３４を備える。ここで、補償電圧Ｖ０Ａ，Ｖ０Ｂ，Ｖ０Ｃ，Ｖ０Ｄは、Ｄ／Ａコンバータ群２５０がデータ線１０２に出力する上限の電圧を決定し、補償電圧Ｖ９Ａ，Ｖ９Ｂ，Ｖ９Ｃ，Ｖ９Ｄは、下限の電圧を決定する。Ｄ／Ａコンバータ群２５０は、補償電圧出力回路２０１から供給される上限値と下限値の間の電圧を、デジタル入力信号Ｖｄｉｇに対応して出力する。
【００２６】
複数あるデータ線１０２の中からは、複数の代表データ線１０２Ａ，１０２Ｂ，…，１０２Ｈが選択されている。本実施形態の例では、前記データ線群２４０Ａ，…２４０Ｈのそれぞれから、走査線駆動回路３００の出力端側に最も近い位置のデータ線１０２が代表データ線１０２Ａ，１０２Ｂ，…，１０２Ｈとして選択されている。補償電圧Ｖ０Ａ，Ｖ０Ｂ，Ｖ０Ｃ，Ｖ０Ｄは、この代表データ線１０２Ａ，１０２Ｂ，…，１０２Ｈに対応する画素回路どうしの、電圧特性の差を補償した補償電圧になるよう設定される。なお、画面右側に配置されている代表データ線１０２Ｄ，１０２Ｅ，…，１０２Ｈの位置では、突き抜け電圧による電圧特性はほぼ等しい。したがって、補償電圧Ｖ０Ｄは、代表データ線１０２Ｄ，１０２Ｅ，…，１０２Ｈに対応する。
【００２７】
図６は、選択された代表データ線の位置と、補償電圧のとの関係を示すグラフである。補償電圧は、突き抜け電圧による画素容量１１２の電圧の低下を補償する特性となっている。具体的には、図４に示す特性を補償する特性である。例えば、Ｖ０Ｄは、走査線駆動回路３００の出力端側から最も離れた位置のデータ線１０２に出力される電圧の上限値であり、Ｖ０Ａは、Ｖ０Ｄを基準として、これに走査線駆動回路３００の出力端側に近いデータ線に対応する画素回路の突き抜け電圧を加算した電圧である。Ｖ０Ｂ，Ｖ０Ｃも同様に求められる。
【００２８】
補償電圧出力回路２０１の分圧抵抗２０２，２０３，２０４，…２３４は、代表データ線１０２Ａ，１０２Ｂ，…，１０２Ｈの位置に対応した電圧が、図６の補償電圧Ｖ０Ａ，Ｖ０Ｂ，Ｖ０Ｃ，Ｖ０Ｄとして出力されるよう設定される。
【００２９】
図６では、データ線１０２に出力される電圧の上限を決定する補償電圧の特性を示したが、下限の電圧を決定する補償電圧も同様に設定される。そして、分圧抵抗２０２，２０３，２０４，…２３４は、代表データ線１０２Ａ，１０２Ｂ，…，１０２Ｈの位置に対応した電圧が、補償電圧Ｖ９Ａ，Ｖ９Ｂ，Ｖ９Ｃ，Ｖ９Ｄとして出力されるよう設定される。また、上限の電圧と下限の電圧の中間の電圧を決定する補償電圧の特性についても同様に設定され、分圧抵抗は、代表データ線１０２Ａ，１０２Ｂ，…，１０２Ｈの位置に対応した電圧が、補償電圧Ｖ１Ａ，Ｖ１Ｂ，Ｖ１Ｃ，Ｖ１Ｄ，…，Ｖ８Ａ，Ｖ８Ｂ，Ｖ８Ｃ，Ｖ８Ｄとして出力されるよう設定される。
【００３０】
図７は、Ｄ／Ａコンバータ群２５０の回路を示す図である。Ｄ／Ａコンバータ群２５０は、データ電圧出力回路としての、複数のＤ／Ａコンバータ２６０と、少なくとも２つの補償電圧Ｖａ０，Ｖｂ０を入力し、これに基づいて、複数のＤ／Ａコンバータ２６０に基準電圧Ｖｒｅｆ０を出力する基準電圧分配回路２５１を備える。基準電圧分配回路２５１は、さらに、別の２つの補償電圧Ｖａ９，Ｖｂ９に基づいて、複数のＤ／Ａコンバータ２６０の基準電圧Ｖｒｅｆ９を出力し、また、それぞれ２つずつの補償電圧Ｖａ１，Ｖｂ１，Ｖａ２，Ｖｂ２，…，Ｖａ８，Ｖｂ８に基づいて、複数のＤ／Ａコンバータ２６０の基準電圧Ｖｒｅｆ１，Ｖｒｅｆ２，…，Ｖｒｅｆ８を出力する。
【００３１】
Ｄ／Ａコンバータ２６０は、多チャネル入出力型のＤ／Ａコンバータである。例えば、Ｄ／Ａコンバータ２６０は、４８チャネル分のデジタル入力信号Ｖｄｉｇを入力し、それぞれに対応した電圧値を４８本のデータ線１０２に出力することができる。Ｄ／Ａコンバータ群２５０は、例えば、８個のＤ／Ａコンバータ２６０を備える。したがって、本実施形態の例では、Ｄ／Ａコンバータ群２５０は、１個のデータ線群２４０に相当する１４４本のデータ線１０２にデータ電圧を出力することができる。なお、図７では、４個のＤ／Ａコンバータ２６０示し、その他を省略している。Ｄ／Ａコンバータ２６０には、基準電圧Ｖｒｅｆ０，Ｖｒｅｆ１，…，Ｖｒｅｆ９が供給される。基準電圧Ｖｒｅｆ０は、Ｄ／Ａコンバータ２６０が出力し得る電圧の上限を決定し、基準電圧Ｖｒｅｆ９は、下限を決定する。基準電圧Ｖｒｅｆ１，Ｖｒｅｆ２，…，Ｖｒｅｆ８は、Ｄ／Ａコンバータ２６０が出力する電圧の上限と下限の中間の値を決定する。
【００３２】
基準電圧分配回路２５１は、複数の分圧抵抗群２５３（２５３ａ，２５３ｂ，…，２５３ｉ）を備える。分圧抵抗群２５３のそれぞれは、直列接続された複数の分圧抵抗Ｒｂを備える。例えば、分圧抵抗群２５３ａは、入力された２つの補償電圧Ｖａ０，Ｖｂ０に基づいて複数の電圧を生成し、複数のＤ／Ａコンバータ２６０の基準電圧Ｖｒｅｆ０として分配する。また、分圧抵抗群２５３ｂは、入力された２つの補償電圧Ｖａ１，Ｖｂ１に基づいて複数の電圧を生成し、複数のＤ／Ａコンバータ２６０の基準電圧Ｖｒｅｆ１として分配する。この基準電圧分配回路２５１により、２種類の補償電圧の中間の電圧が生成され、基準電圧としてＤ／Ａコンバータ２６０に供給されるため、各Ｄ／Ａコンバータ２６０間での電圧の補償の特性が滑らかになる。なお、本実施形態の分圧抵抗Ｒｂは、すべて等しいため、同一の回路構成を有する複数のＤ／Ａコンバータ群２５０をバランスよく配置することができる。
【００３３】
図８は、Ｄ／Ａコンバータ２６０の回路を示す図である。Ｄ／Ａコンバータ２６０は、基準電圧Ｖｒｅｆ０，Ｖｒｅｆ１，…，Ｖｒｅｆ９を入力して階調電圧Ｖ０，Ｖ１，…，Ｖ１２７を生成する階調電圧生成部２７０と、生成した階調電圧の中から、デジタル入力信号Ｖｄｉｇに対応する電圧を選択して出力する複数のセレクタ回路２８０と、出力された電圧でデータ線１０２を駆動するバッファ２９０とを備える。本実施形態では、１個の階調電圧生成部２７０により生成される階調電圧が、複数のセレクタ回路２８０に供給される。すなわち、Ｄ／Ａコンバータ２６０は、階調電圧生成部２７０を兼用する、多チャネル入出力型のＤ／Ａコンバータである。
【００３４】
階調電圧生成部２７０は、直列に接続された抵抗ｒ０，ｒ１，…，ｒ１２６を備え、基準電圧Ｖｒｅｆ０およびＶｒｅｆ９を分圧して階調電圧Ｖ０，Ｖ１，…，Ｖ１２７を生成する。ここで、抵抗ｒ０，ｒ１，…，ｒ１２６の抵抗値は同じではなく、したがって、階調電圧Ｖ０，Ｖ１，…，Ｖ１２７の電圧差は等間隔ではない。抵抗ｒ０，ｒ１，…，ｒ１２６の抵抗値は、分圧により生成される階調電圧Ｖ０，Ｖ１，…，Ｖ１２７が、液晶表示装置の電圧−輝度特性（ガンマ特性）を補償する特性になるよう定められる。さらに、階調電圧生成部２７０は、出力電圧の上限を決定する、上限基準電圧としての基準電圧Ｖｒｅｆ０と下限を決定する下限基準電圧としてのＶｒｅｆ９の他に、これらの中間の基準電圧である中間基準電圧としてのＶｒｅｆ１，…，Ｖｒｅｆ８も入力し、階調電圧Ｖ０，Ｖ１，…，Ｖ１２７の電圧分布を調整している。中間の基準電圧Ｖｒｅｆ１，…，Ｖｒｅｆ８を入力できる構成により、抵抗ｒ０，ｒ１，…，ｒ１２６だけでなく、外部から入力する電圧により、階調電圧Ｖ０，Ｖ１，…，Ｖ１２７の電圧分布をダイナミックに調整することができる。このため抵抗ｒ０，ｒ１，…，ｒ１２６を含む液晶表示装置１０を製造した後でも、電圧値を変更して表示画質の微調整を行うことができる。
【００３５】
セレクタ回路２８０は、階調電圧Ｖ０，Ｖ１，…，Ｖ１２７の中から、デジタル入力信号に対応する電圧を選択して出力する。デジタル入力信号Ｖｄｉｇは、例えば、６ビットのデジタル信号である。６ビットのデジタル信号により、１２８階調の階調電圧Ｖ０，Ｖ１，…，Ｖ１２７からいずれかが選択される。なお、ここで、階調電圧Ｖ０，Ｖ１，…，Ｖ６３は、共通電極に印加される共通電圧ＶＣＯＭ以上の電圧であり、階調電圧Ｖ６４，Ｖ６５，…，Ｖ１２７は、共通電圧ＶＣＯＭより小さい電圧値である。データ線の駆動電圧Ｖｄ１，Ｖｄ２，…，Ｖｄｍは、画素回路１１０の表示電極に書込まれるが、この表示電極の電圧は、共通電圧ＶＣＯＭを中心に、フレーム周期ごとに反転する。例えば、フレーム周期ごとに電圧Ｖ０とＶ１２７が交互に出力されるといった動作が行われる。
【００３６】
バッファ２９０は、セレクタ回路２８０の出力電圧で、データ線１０２を駆動する。バッファ２９０は、高い入力インピーダンスを有し、出力電圧の選択を変更することによる、階調電圧Ｖ０，Ｖ１，…，Ｖ１２７、および、基準電圧Ｖｒｅｆ０，Ｖｒｅｆ１，…，Ｖｒｅｆ９の変動を防ぐ。
【００３７】
ここで図６および図７に戻ると、Ｄ／Ａコンバータ群２５０Ａの基準電圧分配回路２５１では、データ線群２４０Ａに対応する補償電圧Ｖ０Ａ、および、隣接するデータ線群２４０Ｂに対応する補償電圧Ｖ０Ｂを、それぞれＶａ０およびＶｂ０として供給している。Ｄ／Ａコンバータ群２５０Ａでは、分圧抵抗群２５３により、この２種類の補償電圧の範囲で８段階の電圧を生成して、それぞれ、８個のＤ／Ａコンバータ２６０にＶｒｅｆ０として供給する。このようにして、８個のＤ／Ａコンバータ２６０には、データ線群２４０Ａに対応する補償電圧Ｖ０Ａから、隣のデータ線群２４０Ｂに対応する補償電圧Ｖ０Ｂまでの範囲の段階的に異なる電圧値が基準電圧Ｖｒｅｆ０として分配される。Ｖａ１とＶｂ１、Ｖａ１とＶｂ１、…、およびＶａ９とＶｂ９といった、他のそれぞれ２種類の補償電圧についても同様である。このようにして、８個のＤ／Ａコンバータ２６０からは、段階的に異なる基準電圧に応じた、段階的に異なる電圧が出力されることとなる。
【００３８】
図９は、走査線上に配置されるトランジスタの位置と、画素容量１１２の電極の電圧の関係を示すグラフである。このグラフは、例として、各画素についてフレーム周期ごとに反転するデジタル入力データを供給した場合の、反転駆動される画素容量１１２の電極電圧の中央値Ｖｃを示す。上述したように、表示電極の電圧は、突き抜け電圧によりデータ線駆動電圧よりも低下し、この低下の度合いは、画面の左の位置から右の位置へと移るに従い小さくなる。この一方で、データ線の駆動電圧は、画面の左の位置から右の位置へと移るに従い小さくなる補償特性を有するため、これらは相殺されて、表示電極の電圧は画面上の位置に拘わらず一定となる。したがって、フレーム期間ごとに反転変動する表示電極の電圧の中心電圧Ｖｃは、画面上の位置に拘わらず一定とすることができる。この中心電圧Ｖｃを共通電極の共通電圧ＶＣＯＭと設定することにより、表示電極の電圧は、フレーム期間ごとに共通電極の電圧ＶＣＯＭを中心値として反転駆動される。このことにより、ドレイン電圧と共通電圧との差分を検出する回路をデータ線ごとに設けるといったことなく、フリッカを低減できる。
【００３９】
上述の液晶表示装置１０によれば、補償電圧出力回路２０１は、複数のデータ線１０２から選択された複数の代表データ線１０２Ａ，…，１０２Ｈに対応して、この代表データ線１０２Ａ，…，１０２Ｈに対応する画素回路１１０どうしの電圧特性の差を補償した補償電圧Ｖ０Ａ，Ｖ０Ｂ，Ｖ０Ｃ，Ｖ０Ｄを出力し、基準電圧分配回路２５１は、この補償電圧のうち少なくとも２つの補償電圧、例えばＶａ０およびＶｂ０としてＤ／Ａコンバータ群に２５０Ａ入力される、Ｖ０Ａ，Ｖ０Ｂに基づいて複数の基準電圧、例えばＶｒｅｆ０を出力する。補償電圧出力回路２０１は、選択された代表データ線に対してのみ補償電圧を出力し、基準電圧分配回路２５１は、代表データ線に対する２つの補償電圧から基準電圧Ｖｒｅｆ０を生成し、Ｄ／Ａコンバータ２６０の基準電圧として分配する。このため、画素回路の電圧を検出する回路や配線をデータ線ごとに設けて表示部や駆動回路が増大するといったことなく、簡易な構成で画素回路間での電圧特性の差を低減することができる。
【００４０】
次に、上述した実施形態に係る液晶表示装置１０を適用した電子機器について説明する。図１０に、液晶表示装置１０を適用したパーソナルコンピュータの構成を示す。パーソナルコンピュータ５００は、表示ユニットとしての液晶表示装置１０と本体部５１０を備える。本体部５１０には、電源スイッチ５０１およびキーボード５０２が設けられている。液晶表示装置１０は、データ線駆動回路２００が簡略化された構成でフリッカの低減をするので、フリッカの少ない高精細な画像を表示することができる。
【００４１】
なお、液晶表示装置１０が適用される電子機器としては、図１０に示すパーソナルコンピュータ５００の他、情報携帯端末（ＰＤＡ：Ｐｅｒｓｏｎａｌ  Ｄｉｇｉｔａｌ  Ａｓｓｉｓｔａｎｔｓ）、デジタルスチルカメラ、および液晶テレビといった機器が挙げられる。
【００４２】
例えば、上述の実施形態では、データ電圧出力回路はＤ／Ａコンバータとして説明したが、本発明はこれに限られない。データ電圧出力回路は、基準電圧に基づくデータ電圧をデータ線に出力するものであればよく、例えば、２値データを出力する出力回路であってもよい。
【００４３】
また、Ｄ／Ａコンバータ２６０は、基準電圧を分圧して生成する複数の階調電圧の中から一の階調電圧を選択して出力するものとして説明したが、本発明はこれに限られない。Ｄ／Ａコンバータは、基準電圧に基づくデータ電圧を出力するものであればよく、例えばＲ−２Ｒ抵抗ラダー型のＤ／Ａコンバータやその他のＤ／Ａコンバータであってもよい。
【００４４】
また、Ｄ／Ａコンバータ２６０の基準電圧は、階調電圧の上限値を決定する上限基準電圧と、前記階調電圧の下限値を決定する下限基準電圧と、を有すると説明したが、本発明はこれに限られない。Ｄ／Ａコンバータ２６０の基準電圧は、階調電圧の上限値を決定する上限基準電圧のみであってもよい。
【００４５】
また、補償電圧出力回路２０１や基準電圧分配回路２５１は、分圧抵抗を有するとして説明したが、本発明はこれに限られない。補償電圧出力回路や基準電圧分配回路は、非線形特性を有する他の素子や、能動部品の組み合わせによって実現してもよい。
【００４６】
また、電気光学装置は液晶表示装置１０であるとして説明したが、本発明はこれに限られない。電気光学装置は、例えば有機ＥＬ表示装置といった、他の表示装置であってもよい。
【００４７】
以上、本発明の実施形態を説明したが、本発明は上述の実施形態に限定されるものではない。上述の実施形態には、種々の変更や改良を加えることができる。そのような変更または改良を加えた形態も本発明の技術的範囲に含まれ得ることが、特許請求の範囲の記載から明らかである。
【図面の簡単な説明】
【００４８】
【図１】液晶表示装置１０の全体構成を示すブロック図である。
【図２】画素回路１１０の等価回路を示す図である。
【図３】画素回路１１０における、ＴＦＴ１１１のゲート電圧波形、および画素容量１１２の表示電極の電圧波形を示す図である。
【図４】走査線上に配置されるトランジスタの位置と、画素容量１１２電極の電圧低下の関係を示すグラフである。
【図５】データ線駆動回路２００の回路を示す図である。
【図６】選択された代表データ線の位置と、補償電圧のとの関係を示すグラフである。
【図７】Ｄ／Ａコンバータ群２５０の回路を示す図である。
【図８】Ｄ／Ａコンバータ２６０の回路を示す図である。
【図９】走査線上に配置されるトランジスタの位置と、画素容量１１２の電極の電圧の関係を示すグラフである。
【図１０】液晶表示装置１０が適用されるパーソナルコンピュータ５００を示す図である。
【符号の説明】
【００４９】
１０    液晶表示装置
１００  液晶パネル
１０１  走査線
１０２  データ線
１０２Ａ−１０２Ｈ  代表データ線
１１０  画素回路
２００  データ線駆動回路
２０１  補償電圧出力回路
２４０  データ線群
２５０  コンバータ群
２５１  基準電圧分配回路
２６０  Ｄ／Ａコンバータ
３００  走査線駆動回路
【図１】
2006126273.tif 000003
【図２】
2006126273.tif 000004
【図３】
2006126273.tif 000005
【図４】
2006126273.tif 000006
【図５】
2006126273.tif 000007
【図６】
2006126273.tif 000008
【図７】
2006126273.tif 000009
【図８】
2006126273.tif 000010
【図９】
2006126273.tif 000011
【図１０】
2006126273.tif 000012